(57)【特許請求の範囲】
【請求項１】
電子回路を取り付けた回路基板と、
前記回路基板を収容した機器ケースと、
前記機器ケースに取り付けたセンサユニットと、
前記センサユニットから延出する接続基板と、
前記回路基板と前記接続基板との間隔を規制する金属製の雄ネジと雌ネジで構成された規制部材と、
前記回路基板と前記接続基板との間に加圧状態で配置し、前記回路基板と前記接続基板との導通をとる導通弾性体とを備えたことを特徴とするセンサ付き電子時計。
【請求項２】
電子回路を取り付けた回路基板と、
前記回路基板を収容した機器ケースと、
前記機器ケースに取り付けたセンサユニットと、
前記センサユニットから延出する接続基板と、
前記回路基板と前記接続基板との間に配置し、回路基板側と接続基板側とを連通する導通用穴を設けたスペーサと、
前記導通用穴に入れて前記回路基板と前記接続基板とを導通させる弾性体からなる導通弾性体と、
前記回路基板と前記接続基板とを前記スペーサに固定すると共に前記導通弾性体を前記回路基板と前記接続基板との間で加圧状態にする金属製の雄ネジと雌ネジで構成された固定部材とを備えたことを特徴とするセンサ付き電子時計。
【請求項３】
前記導通弾性体は、導通ばね又は導通材入りコネクタゴムであることを特徴とする請求項１または２に記載のセンサ付き電子時計。
【請求項４】
さらに、前記ネジに回転防止手段を設けたことを特徴とする請求項１乃至３のいずれかに記載のセンサ付き電子時計。
【発明の詳細な説明】
【０００１】
【発明の属する技術分野】
この発明は、センサユニットから回路基板までの導通を安定化できるセンサ付き小型電子機器に関する。
【０００２】
【従来の技術】
図６は、特開平４−３３９２９４号公報に開示のセンサ付き電子時計を示す一部断面図である。このセンサ付き電子時計５００では、合成樹脂製のハウジング５０１上に回路基板５０２を設置し、この回路基板５０２上にフレキシブルな接続基板５０３を設置し、この接続基板５０３をセンサユニット（図示省略）に接続している。また、接続基板５０３は、保持部材５０４によって回路基板５０２に押し付けられている。保持部材５０４は、ビス５０５によってハウジング５０１に固定され、そのネジ部がハウジング５０１に設けたクリップ５０６と螺合している。また、保持部材５０４と接続基板５０３との間には弾性体からなるスペーサ５０７が設けられている。スペーサ５０７の下面には突起５７１が形成されており、この突起５７１が接続基板５０３と当接するようになる。保持部材５０４内の接続基板上５０３には温度補償用抵抗などの電子部品５０８が取り付けてある。このセンサ付き電子時計５００では、スペーサ５０７とビス５０５の締結により得られる弾性力により、接続基板５０３を回路基板５０２に押し付けて電気的な導通を確保している。
【０００３】
【発明が解決しようとする課題】
しかしながら、上記従来のセンサ付き電子時計５００では、合成樹脂製のハウジング５０１にビス固定しているため、熱膨脹や外部応力による変形などによりビス５０５がゆるみやすい。また、スペーサ５０７の劣化により接続基板５０３と回路基板５０２との押し付け力が弱くなるおそれがある。このため、接続基板５０３と回路基板５０２との接触状態が悪化するという問題点があった。特に、小型電子機器の場合、用いる電流が微弱であるため、かかる問題が大きく影響する。
【０００４】
この他、センサユニットと回路基板とを接続する例として、特開平７−２７０５５１号公報に開示されたセンサ付き腕時計が挙げられる。図７は、このセンサ付き腕時計を示す一部断面図である。このセンサ付き腕時計６００は、フレキシブルな接続基板を用いることなく、センサユニット６０１と回路基板６０２とを直接導通させている。センサユニット６０１は時計ケース６０３に取り付けられると共にセンサ受け部６０４により支持されている。センサユニット６０１は、パネル枠６０５の裏面に設けた回路基板６０２とコネクタ６０６を介して電気的に導通している。回路基板６０２と裏蓋６０７との空間には電池６０８が収容されている。
【０００５】
しかし、このセンサ付き腕時計６００は、フレキシブルな接続基板を用いていない点で上記センサ付き電子時計５００に比べてセンサ位置に関する設計上の制約があり、さらに、回路基板６０２とセンサユニット６０１との接続状態の改善を主眼としていないため、かかる部分（コネクタ付近）の工夫はなされていないようである。このため、製造時や電池交換時などに回路基板６０２とコネクタ６０６との接触不良が起こる可能性がある。
【０００６】
そこで、この発明は、上記に鑑みてなされたものであって、センサユニットから回路基板にかけての電気的な導通を安定化できるセンサ付き小型電子機器を提供することを目的とする。
【０００７】
【課題を解決するための手段】
上述の目的を達成するため、回路基板と接続基板との間隔を規制しておき、この間隔に導通弾性体を加圧状態で配置することで、回路基板および接続基板に対する積極的な接触を行い前記間隔の変動に十分対応できるようにした。具体的には、スペーサにより回路基板と接続基板との間隔を規制すると共にこのスペーサに設けた導通用穴に導通弾性体を入れ、固定部材により回路基板と接続基板とをスペーサに固定し、導通弾性体を加圧状態にするが、この構成に限定されるわけではない。かかる導通弾性体は、導通ばね又は導通材入りコネクタゴムを用いるのが好ましい。
【０００８】
また、固定部材を金属製の雄ネジおよび雌ネジで構成することにより、熱膨脹などに強くなるから、その分、固定部材のゆるみを防止できる。さらに、このネジに回転防止手段を設ければ効果的である。なお、この構成は、電子時計、携帯型測定器、携帯電話、ゲーム機その他のセンサ付き小型電子機器に応用できる。
【０００９】
【発明の実施の形態】
以下、この発明につき図面を参照しつつ詳細に説明する。なお、この実施の形態によりこの発明が限定されるものではない。
実施の形態１．
図１は、この発明の実施の形態１にかかるセンサ付き電子時計を示す一部断面図である。このセンサ付き電子時計１００は、例えば水圧や気圧を検出する圧力センサ、外気温度を検出する温度センサ、磁気を検出する磁気センサ、光を検出する光センサなどを設けた電子時計である。機器ケース１には、センサユニット収容部２が形成されており、その内部には時計モジュールへの連通部２１と、センサユニット３の取付深さを決める段部２２とが形成されている。センサユニット３はセンサユニット収容部２にはめ込まれ、その前面には保持カバー４が取り付けられる。
【００１０】
保持カバー４とセンサユニット収容部２は締まりばめとなっており、保持カバー４をセンサユニット収容部２に押し込むことにより、センサユニット３を機器ケース１に固定することができる。保持ケース４内には、センサユニット３前面に当接する段部４１が形成されており、この段部４１とセンサユニット３の周縁３１および保持ケース外周面４２とセンサユニット収容部２の内周面２３との間に設けたシール材（図示省略）により、機器ケース１内を密封している。一方、センサユニット３のフレキシブルな接続基板３２は、連通部２１を通って機器ケース１内に導かれている。
【００１１】
時計モジュールの回路基板５は、その一面で回路支持台６に取り付けられ、他面において電池枠となるスペーサ７に取り付けられている。このスペーサ７の端部には導通用穴７１が加工形成され、その中には導通用の金属製圧縮コイルバネ８が収容されている。一方、回路支持台６と回路基板５およびスペーサ７には、時計厚さ方向に金属製のピン９が通されており、その頭部は回路支持台６の座部６１と係止している。また、ピン９の足には雌ネジ９１が切られている。前記接続基板３２は、スペーサ７の導通用穴７１上に載置され、押え板９２および金属製の固定ネジ９３によって固定される。コイルバネ８の高さはスペーサ７の厚さよりも大きく設定されており、固定ネジ９３で接続基板３２を取り付けると、押え板９２と回路基板５との作用でコイルバネ８が圧縮状態になる。このため、コイルバネ８が回路基板５と接続基板３２との両方に強く押し付けられる。コイルバネ８との接触部分には、回路基板５および接続基板３２ともに所定の電極（図示省略）が形成されているから、当該コイルバネ８によりセンサユニット３から回路基板５までの電気的な導通をとることができる。この構成であれば、何等かの応力などにより押え板９２と回路基板５との間隔に変動が生じても、コイルバネ８が追従して変形するから、常に導通を確保できる。
【００１２】
また、図２に示すように、固定ネジ９３の頭部には切欠部９４が設けられており、この切欠部９４には回転防止部９５が当接している。回転防止部９５は、長穴９６を有し当該長穴９６で位置調節し、ネジ９７で固定する板構造になっている。さらに、ピン９と固定ネジ９３を金属製にしてあることから、固定ネジ９３のゆるみを効果的に防止できる。なお、回転防止部９５は、図２に示した構成に限られず、例えば割りピンを用いて固定したり、切欠部を半円形状にして当該切欠部に回転防止用のボルトの頭部をはめ込むようにすることができる（図示省略）。
【００１３】
つぎに、上記ではコイルバネ８の位置を規制するためにスペーサ７の導通用穴７１を用いたが、コイルバネ８の位置を規制できるものならばこれに限られない。例えば、図３に示すように、スペーサ７の切欠部７２において押え板９２または回路基板５から突出したガイド棒７３によりコイルバネ８を規制するようにしてもよい。また、回路基板５と接続基板３２との間隔を規制するのはスペーサ７に限らない。例えば、図４に示すように、スペーサ７と押し板９２との間に加圧調整用スペーサ７４を挿入して、コイルバネ８の加圧力を調整するようにしてもよい。なお、この構成を適用するのは、多針アナログクオーツでもデジタルクオーツでもよい。
【００１４】
実施の形態２．
図５は、この発明の実施の形態２にかかるセンサ付き電子時計を示す一部断面図である。このセンサ付き電子時計２００は、導通弾性体として金線入りコネクタゴム２０１を用いた点に特徴があり、その他の構成は実施の形態１のセンサ付き電子時計１００と同様であるからここでは説明を省略する。このセンサ付き電子時計２００では、スペーサ７の導通用穴７１に金線入りコネクタゴム２０１を用いる。コネクタゴム２０１は、回路基板５と押え板９２とによって圧縮状態にあるから、回路基板９２と接続基板３２との両方に押し付けることができる。これによりセンサユニット３から回路基板５までが電気的に導通する。
【００１５】
なお、前記コネクタゴム２０１は金線入りのものに限られず、電気を通す物質ならば、銀線や銅線などであってもよい。但し、微小な電流を取り扱うため、コネクタゴム２０１に用いるのは電気抵抗が小さいものが好ましい。また、ゴム体の周囲に導体を形成したものであってもよい（図示省略）。また、この発明を他の小型電子機器に応用する場合であっても、上記実施の形態１および２と同様の構成でよい。
【００１６】
【発明の効果】
以上説明したように、この発明のセンサ付き小型電子機器によれば、加圧状態の導通弾性体を回路基板と接続基板との間に配置するから、センサユニットから回路基板にかけての電気的な導通を安定化できる。
【図面の簡単な説明】
【図１】この発明の実施の形態１にかかるセンサ付き電子時計を示す一部断面図である。
【図２】回転防止部を示す平面図である。
【図３】センサ付き電子時計の変形例を示す一部断面図である。
【図４】センサ付き電子時計の変形例を示す一部断面図である。
【図５】この発明の実施の形態２にかかるセンサ付き電子時計を示す一部断面図である。
【図６】特開平４−３３９２９４号公報に開示のセンサ付き電子時計を示す一部断面図である。
【図７】特開平７−２７０５５１号公報に開示されたセンサ付き腕時計を示す一部断面図である。
【符号の説明】
１００    センサ付き電子時計
１    機器ケース
２    センサユニット収容部
３    センサユニット
３２    接続基板
４    保持カバー
５    回路基板
６    回路支持台
７    スペーサ
７１    導通用穴
８    コイルバネ
９    ピン
９２    押え板
９３    固定ネジ
【図１】
0003611983.tif 000002
【図２】
0003611983.tif 000003
【図３】
0003611983.tif 000004
【図４】
0003611983.tif 000005
【図５】
0003611983.tif 000006
【図６】
0003611983.tif 000007
【図７】
0003611983.tif 000008